(57)【要約】      （修正有）【課題】自然界の植物細胞壁粒子粉末を製造して、それを用いて、ヒトの排便のミイラ化物質を作り、排便をトイレで水処理でなく、環境に貢献する技術の提供。【解決手段】地球温暖化が叫ばれている中、人間の排便、排尿処理問題解決が急務である、ヒトが捨てる排便、排尿は汚いとされているが、処理技術によって資源として活用できる。植物細胞壁粒子粉末の製造方法は、自然界の樹木と草木の植物細胞壁粒子粉末を、水分を１８％以下にして、篩にて１０メッシから６０メッシ篩分けする方法。【選択図】なし【特許請求の範囲】
【請求項１】
植物細胞壁結合粒子を用いて、ヒトの排便を、ミライ化して、有機資源製造方法。
【請求項２】
植物細胞壁結合粒子粉末は食品の３大栄養素、たんぱく質、脂質、炭水化物で、炭水化物は、糖質、繊維質に分類し、繊維質と多糖類は、セルロース、ヘミセルロース、リグニン結合で出来ている、植物細胞壁粒子粉末を、水分を１８％以下に乾燥し、篩で１００メッシ以下の粉末製造方法。
【請求項３】
主たる植物細胞壁粒子粉末は食品成分検査で、１００ｇ、水分１２．８％、タンパク質０．９％、脂質０．８％、多糖類３８．１％、繊維質４２．９％、灰分４．９．５％、人が食べても安全食品である。
【請求項４】
植物細胞壁結合粒子の原木として、スギ材、ヒノキ材、アブラヤシ材、ココヤシ材、竹材、クヌギ材、ナラ材、桐材、桑の木、松材、クリ材及び、雑木材等の植物細胞壁結合粒子に精製して、請求項２記載の植物細胞壁結合粒子粉末製造方法。
【請求項５】
ヒトの排便を、便器にて、植物細胞壁結合粒子粉末を、まぶして容器にて回収、請求項２，３記載のヒトの排便のミイラ化物質，製造方法。
【請求項６】
家庭内、幼児施設、幼稚園、小学校、中学校、高等学校、大学、警察施設、消防施設、海上施設、自衛隊施設、スポーツ競技施設、神社、寺院等、公共施設、請求項２，３，４，５に記載のヒトの排便ミイラ化物質製造方法。
【請求項７】
建築ビル内、生産工場内、自動車内、電車内、船舶内、飛行機内、建築工事現場内等の内部にて、請求項２，３，４に記載のヒトの排便ミイラ化物質製造方法。
【請求項８】
ヒトの排便を便器の中で植物細胞結合粉末を自動機器で混合し、請求項２，３項目に記載のヒトの排便乾燥物体製造方法。
【請求項９】
排便のミイラ化物質から窒素、リンを製造して再資源の有効利用、請求項５記載の排便のミライ化物質資源製造方法。
【請求項１０】
排便のミイラ化物質から医薬品、創薬、肥料、飼料、食品、請求項４記載の製造方法。
【請求項１１】
宇宙産業にて開発された、宇宙基地建築内部にてヒトの排便処理、請求項４に記載の排便ミイラ化物質の製造と、その物質を利用して、野菜栽培技術の提供。
【請求項１２】
再生資源としてコメの生産から出る、もみ殻植物細胞壁粒子粉末を、請求項４に記載の排便のミイラ化物質製造方法。
【請求項１３】
乳児、幼児、児童、成人、老人の排便を観察検体検査、健康管理により、予防医学おいて健康被害を未然に防ぐ、請求項２，３，５、に記載のヒトの排便ミライ化物質開発方法。
【請求項１４】
電車内に排便ができるトイレ場所を設置して、高齢、及び幼児、乗客が安心して行動ができる
【請求項１５】
航空機内に排便処理設備を設置して環境に貢献できる、資源の構築。
【請求項１６】
ヒトの排便のミイラ化の研究者、大学院設置及び施設、未来の資源化開発技術の提供。
【請求項１７】
水洗トイレとして設置している、水洗便器を使い、排便を植物細胞壁粒子粉末を使って処理し、尿は別な容器回収か、水洗便器に流す手法。
【請求項１８】
ヒトの排泄物は、人が食べた栄養素で、最終残渣物にも、タンパク質、脂質、炭水化物、無機質、ビタミン、脂肪酸が含まれいる、排便、尿、回収して医学的活用。
【発明の詳細な説明】
【技術分野】
【０００１】  本発明は、主として熱帯雨林に生息及び植栽倍されている、アブラヤシ、ココヤシ幹から植物細胞壁結合粒子粉末を得る方法、及びそれを有用に活用したヒトの排便のミイラ化物質資源に関する。
【背景技術】
【０００２】  熱帯雨林に生息及び植栽培されているアブラヤシ、ココヤシは、およそ北緯１０度から南緯１０度にて栽培され、インドネシア、マレーシア、タイ国他現在４５か国で植栽されている。【０００３】  アブラヤシからは食用油、ココヤシから食用油、ココナツミルク及び飲料が世界に流通している。【０００４】  特にアブラヤシは２５年過ぎると老幹にて倒されて未利用資源として、有効活用が期待されているが、開発が十分ではない、【０００５】日本国内に生息、植栽されている杉、ヒノキ、松等の原木及び間伐の十分な資源の活用がなされていない、【０００６】  このように資源の活用が期待できる植物細胞壁粒子粉末を用いて、ヒトの排便のミイラ化物質を製造。【０００７】  化石資源は有限資源にともない、自然資源とりわけ、植物樹木資源の解発が急務になっている、【０００８】そこで、日本の北海道から九州、島等に生息、又は植栽された樹木、雑木等から植物細胞壁粒子粉末を生産して、新たな経済効果と環境破壊の防止に貢献いたします。
【先行技術文献】
【特許文献】
【０００９】
【特許文献１】特許第４０５４６６０号
【特許文献２】特許第３９６９９１３号
【非特許文献】
【００１０】
【非特許文献１】特開２０１６−１６６７７１０号
【非特許文献２】特開２０１８−０００１７７７号
【発明概要】
【発明が解決しようとする課題】
【００１１】  本発明は、更なる最大の先端技術を駆使して、ヒトからの排出物を大量の水処理するのではなく、植物細胞壁粒子粉末を利用して環境に貢献する、
【００１２】  そこで、資源の無駄を解決するため、ヒトの排便を先端技術を用いて水で流すのではなく、回収して再資源、健康管理に役に立つ物体にすることにより地球環境に貢献できる。
【００１３】ヒトの排便は毎日変化がある便を排出しているため、解決に困難をきたしてきたが。
【００１４】時代を振り返り様々の時代にて排便の取り扱えを研究して考えに及び自然と自然を組み合わせ又自然の気候、気温に対応できることが解決の課題であった。
【００１５】そこで、人間のミライに気を配り、人間がミイラ化問題は内臓と分泌物及び排泄物体である。
【００１６】人間の内臓から産生される、唾液、インスリン、胆汁酸等は水分でなく、ヒトの排便にも含まれていると考えた。
【００１７】そうであるならば、ヒトの排便も水分ではなく、臭いは蒸発するが、排便の水分と思われるものは、ひとの生活の分泌液体で蒸発しないことが判明した。
【００１８】いわゆる、排便はそのままでも自然にミイラ化になることが分かったが、排便で空気に触れると強烈な臭いを嗅ぐことが問題であった。
【００１９】  空気は窒素、水素が主体、ヒトの排便からは揮発性ある、ヒトの排便直後に、植物細胞壁粒子粉末をふりかければ、植物細胞壁粒子粉末が瞬時吸着して、強烈な臭いを遮断することを解明した。
【００２０】ここで、ヒトの排便は、取り扱いが簡単に処理が出来る。。
【課題を解決するため手段】
【００２１】森林、里山から切り出して、製材工場に運搬して、樹皮を除去して、まるた、角材、板材に加工成形し、次いで、破砕、粉砕、剥離、削るか、圧搾成形材の乾燥室における熱風乾燥及び凍結乾燥、気温１５度から４０度程度の環境下における乾燥でもよい。
【００２２】形成された樹木は、大鋸屑状にし、次に微粉末に精製して、自然乾燥、熱風乾燥で水分６％から１８％に乾燥して植物細胞壁粒子粉末を製造方法。
【００２３】植物細胞壁粒子粉末を，篩にて１０から６０メッシュ程度行ってもよい。
【発明の効果】
【００２４】ヒトの排便を水洗で流すのが当たり前の考えを、どなたでも、、再資源を構築する先端技術の活用により、生活の様式が変わる。
【００２５】ヒトの排便を回収して、ひとが健康維持に関係して排便からの健康状態が解明することの効果が期待できる。
【発明を実施するための形態】
【００２６】
【実施例】
【００２７】  以下に本発明の実施形態を説明する。
家庭内のトイレ室に設置されてある、水洗便器に、直径２５ｃｍの陶器皿状に植物細胞壁粒子粉末、大人の手で一掴み皿に撒きそこに排便させ、排便終わりと同時に、又植物細胞壁粒子粉末をふりかけて回収する。【００２８】ヒトの排便はさまざまで大人で５０ｇから１５０ｇ程度の排便である【００２９】  水洗トイレに直径２５ｃｍの陶器皿に食物細胞壁粒子粉末５０ｇを皿に散布して排便約１３０ｇを回収して、ヨーグルト４００ｇ容器に排便を入れて蓋をして放置９０日すると、ミイラ化した物質ができた。【００３０】  ヒトが食べ物を食べてからの消化器官通過時間は約５５時間で排便が出るのが健康状態が良いことがわかりました
【産業上の利用可能性】
【００３１】  排便を直ちに回収して医学検体検査にて健康状態が認識出来る。【００３２】  また、ミイラ化した物質を医学検体検査にて健康状態の認識が可能である。【００３３】  医学検体検査は大学の施設、企業の施設に検体検査センター等に管理することが望ましい。